【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】 壁に埋め込まれ、かつ壁側の一側が開口したボックス内に固定される水栓であって、
上記ボックス内に固定され、該ボックス内に挿通された配管に接続された配管継手部と、
上記ボックス内に固定され、一端が上記配管継手部に接続され、他端に吐水部が形成され、かつ該吐水部から吐水される流量を調整する流量調整手段を備えた別体の水栓本体と、  
上記配管継手部と水栓本体とを覆い、かつ上記吐水部と流量調整手段を壁側に露出させる開口を備えたカバーと、
を備え、 
上記吐水部で上記カバーから突出した部分には、機器側ホースの端部に設けられたカプラーの係止部が着脱自在に係合する吐水部より大径として構成された突起形状のカプラー係止用鍔が、該吐水部に着脱自在に取り付けられていることを特徴とする壁埋め込み水栓。
【請求項２】上記吐水部を上記水栓本体から斜め下方に延設配置して形成させるとともに、該吐水部と所定距離隔てて背面を覆うように凹部が形成され、かつ上記吐水部に着脱自在に接続されるカプラー係止用鍔を略C字形状とし、該カプラー係止用鍔の開放側がカバー側となるように上記吐水部に固定されるよう構成したことを特徴とする請求項１記載の壁埋め込み水栓。
【請求項３】 上記カプラー係止用鍔の一対の開放端は、それぞれ内端部と外端部から構成され、該内端部を該外端部より厚みを薄くして構成したことを特徴とする請求項２に記載の壁埋め込み水栓。
【請求項４】 上記カプラー係止用鍔の一対の開放端は、それぞれ所定間隙を開けて内端部と外端部とが構成され、該内端部を該外端部より厚みを薄くして構成したことを特徴とする請求項３に記載の壁埋め込み水栓。
【手続補正２】
【補正対象書類名】明細書
【補正対象項目名】０００７
【補正方法】変更
【補正の内容】
【０００７】
【発明が解決しようとする課題】 本件発明は、上記の問題を鑑みてなされたものであり、室内側に水栓本体を突出させずに壁に埋め込んだ壁埋め込み水栓を提供することを目的とする。さらに、埋め込まれる狭いスペース内においても、取り付け施工がしやすく、また、意匠性にも富んだ壁埋め込み水栓を提供することを目的とする。
【手続補正３】
【補正対象書類名】明細書
【補正対象項目名】０００８
【補正方法】変更
【補正の内容】
【０００８】
【課題を解決するための手段】 上記の問題を解決すべく、本件発明の請求項１において、壁に埋め込まれ、かつ壁側の一側が開口したボックス内に固定される水栓であって、上記ボックス内に固定され、該ボックス内に挿通された配管に接続された配管継手部と、上記ボックス内に固定され、一端が上記配管継手部に接続され、他端に吐水部が形成され、かつ該吐水部から吐水される流量を調整する流量調整手段を備えた別体の水栓本体と、上記配管継手部と水栓本体とを覆い、かつ上記吐水部と流量調整手段を壁側に露出させる開口を備えたカバーと、を備え、上記吐水部で上記カバーから突出した部分には、機器側ホースの端部に設けられたカプラーの係止部が着脱自在に係合する吐水部より大径として構成された突起形状のカプラー係止用鍔が、該吐水部に着脱自在に取り付けられてなる壁埋め込み水栓としたことである。
【手続補正４】
【補正対象書類名】明細書
【補正対象項目名】０００９
【補正方法】変更
【補正の内容】
【０００９】
これにより、水栓本体が壁に埋め込まれたボックス内に収納されており、室内側に露出されないので、室内側をシンプルにして意匠性が増す。また、室内に突出する部分が少ないので、邪魔にならない。さらには、カバーで水栓本体が覆われているので露出せず意匠性にも優れている。また、カプラー係止用鍔を吐水部に対して着脱自在な構成としたため、カプラー係止用鍔を後から吐水部に固定できるためカバーに形成した吐水部挿通用の開口を吐水部挿通に必要な大きさとすればよく開口を大きなものとしなくてよいことから一層の意匠性向上が図れる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本件発明の請求項２において、上記吐水部を上記水栓本体から斜め下方に延設配置して形成させるとともに、該吐水部と所定距離隔てて背面を覆うように凹部が形成され、かつ上記吐水部に着脱自在に接続されるカプラー係止用鍔を略C字形状とし、該カプラー係止用鍔の開放側がカバー側となるように上記吐水部に固定されるよう構成したことである。
【手続補正１４】
【補正対象書類名】明細書
【補正対象項目名】００１９
【補正方法】変更
【補正の内容】
【００１９】
これにより、吐水部を水栓本体から斜め下方に延設配置したためカバーから吐水部を必要長さ突出させてもカバーからの突出量を小さく抑えることができるため意匠性の向上が図れる。さらに吐水部の背面と対応するカバーに凹部を形成することで取付性を阻害することなく突出量をさらに抑えることができることから一層の意匠性向上が図れる。さらに、カプラー係止用鍔を略C字形状とすることでさらにカバー側への突出量を抑えることができ一層の意匠性向上が図られているものである。
【手続補正１５】
【補正対象書類名】明細書
【補正対象項目名】００２０
【補正方法】変更
【補正の内容】
【００２０】
本件発明の請求項３において、上記カプラー係止用鍔の一対の開放端は、それぞれ内端部と外端部から構成され、該内端部を該外端部より厚みを薄くして構成したことである。これにより、内端部に弾性を持たせることができ、装着を容易にできる。  
【手続補正１６】
【補正対象書類名】明細書
【補正対象項目名】００２１
【補正方法】変更
【補正の内容】
【００２１】
本件発明の請求項４において、上記カプラー係止用鍔の一対の開放端は、それぞれ所定間隙を開けて内端部と外端部とが構成され、該内端部を該外端部より厚みを薄くして構成したことである。これにより内端部が所定間隙範囲で弾性変形が一層容易となるため装着が一層容易にできるとともに、外端部には係止部の係合に必要な剛性を持たせやすくなる。
【手続補正１７】
【補正対象書類名】明細書
【補正対象項目名】００５３
【補正方法】変更
【補正の内容】
【００５３】
水栓本体５は壁１に埋め込まれたボックス２内に収納されており、室内側に露出されないので、室内側をシンプルにして意匠性が増す。また、室内を広々と使うことが出来、また、使用しない場合は、突出する部分が少ないので、邪魔にならない。さらには、水栓本体５はカバーに覆われ露出されていないので一層の意匠性向上が図れる。
【手続補正１８】
【補正対象書類名】明細書
【補正対象項目名】００５４
【補正方法】変更
【補正の内容】
【００５４】
また、カプラー係止用鍔を吐水部に対して着脱自在な構成としたため、カプラー係止用鍔を後から吐水部に固定できるためカバーに形成した吐水部挿通用の開口を吐水部挿通に必要な大きさとすればよく開口を大きなものとしなくてよいことから一層の意匠性向上が図れる。